(57)【要約】      （修正有）【課題】車両内に設けられた複数の機能からの情報を見やすく表示することができる車載システムを提供する。【解決手段】車両に搭載される車載システム１０であって、表示装置２０と、複数の情報処理装置とを備え、複数の情報処理装置の中の１台である第１の情報処理装置は、表示装置を制御して表示装置に画像を表示させる表示制御部を有し、複数の情報処理装置の中で第１の情報処理装置以外の複数の情報処理装置のそれぞれである第２の情報処処理装置は、所定の機能を実行し、実行結果を示す画像を出力する機能部を少なくとも１つ有し、表示制御部は、それぞれの機能部から出力された画像を表示装置に表示させる。【選択図】図１
2010201969.tif 000002
【特許請求の範囲】
【請求項１】
車両に搭載される車載システムであって、
表示装置と、
複数の情報処理装置と
を備え、
前記複数の情報処理装置の中の１台である第１の情報処理装置は、
前記表示装置を制御して前記表示装置に画像を表示させる表示制御部を有し、
前記複数の情報処理装置の中で第１の情報処理装置以外の情報処理装置である第２の情報処処理装置は、
所定の機能を実行し、実行結果を示す画像を出力する機能部を少なくとも１つ有し、
前記表示制御部は、
それぞれの前記機能部から出力された画像を、前記表示装置に表示させることを特徴とする車載システム。
【請求項２】
請求項１に記載の車載システムであって、
前記第１の情報処理装置は、
前記車載システムに導入されている機能部の数を示す情報を格納する機能数格納部と、
機能部の数を示す情報に対応付けて、前記表示装置の画面を当該機能部の数に分割する分割方法を示す情報、および、当該分割方法により分割されたそれぞれの領域に割り当てられる領域ＩＤを格納する分割情報格納部と、
前記車載システムに導入されているそれぞれの機能部を識別する機能ＩＤに対応付けて、当該機能部から出力された画像を表示する前記表示装置の画面領域に割り当てられている領域ＩＤを格納する領域情報格納部と
をさらに有し、
前記表示制御部は、
前記車載システムに新たに導入された機能部の機能ＩＤをユーザから入力された場合に、前記機能数格納部内の機能部の数に１を加えて機能部の数を更新し、更新した機能部の数に対応する分割方法および領域ＩＤを前記分割情報格納部から取得し、前記領域情報格納部内に格納されている機能ＩＤを取得し、取得した機能ＩＤおよび前記車載システムに新たに導入された機能部の機能ＩＤで前記領域情報格納部内の機能ＩＤを更新し、前記領域情報格納部内のそれぞれの機能ＩＤに、前記分割情報格納部から取得した領域ＩＤのいずれかを割り当て、
前記機能部から機能ＩＤと共に画像を受信した場合に、前記車載システムに導入されている機能部の数を前記機能数格納部から取得し、取得した機能部の数に対応する分割方法を前記分割情報格納部から取得し、画像と共に受信した機能ＩＤに対応する領域ＩＤを前記分割情報格納部から取得し、取得した領域ＩＤに対応する前記表示装置の画面領域に、受信した画像を表示させることを特徴とする車載システム。
【請求項３】
請求項１または２に記載の車載システムであって、
前記第１の情報処理装置は、
機能ＩＤ毎に、当該機能ＩＤに対応する機能部から出力される画像の構成を示すテンプレートを識別するテンプレートＩＤを格納する画像構成情報格納部をさらに有し、
前記表示制御部は、
前記機能部から機能ＩＤと共に画像を受信した場合に、受信した機能ＩＤに対応するテンプレートＩＤを前記画像構成情報格納部から取得し、受信した画像に、取得したテンプレートＩＤに対応するテンプレートを適用して前記表示装置に表示することを特徴とする車載システム。
【請求項４】
請求項１から３のいずれか一項に記載の車載システムであって、
ユーザからの操作を受け付ける入力装置をさらに備え、
前記入力装置は、
前記車載システムに導入されているいずれかの機能部を選択する操作をユーザから受け付けた場合に、当該操作に対応する選択信号を前記第１の情報処理装置へ出力する第１のスイッチと、
ユーザによって操作された場合に、当該操作に対応する操作信号を、前記第１の情報処理装置へ出力する第２のスイッチと
を有し、
前記第１の情報処理装置は、
それぞれの選択信号に対応付けて、当該選択信号に割り当てられる機能部の機能ＩＤを格納する選択情報格納部と、
機能ＩＤ毎に、当該機能ＩＤに対応する機能部へのユーザの操作を受け付けるための第２のスイッチの構成を識別するスイッチ構成ＩＤを格納するスイッチ構成ＩＤ格納部と、
前記第１のスイッチから選択信号を受信した場合に、受信した選択信号に対応する機能ＩＤを前記選択情報格納部から取得し、取得した機能ＩＤに対応するスイッチ構成ＩＤを前記スイッチ構成ＩＤ格納部から取得し、前記第２のスイッチから受信した操作信号を、取得したスイッチ構成ＩＤに対応するスイッチ構成における操作信号に変換して、取得した機能ＩＤに対応する機能部を有する第２の情報処理装置へ送信する入力受付部と
をさらに有し、
前記第２の情報処理装置の機能部は、
前記入力受付部から受信した操作信号に基づいて処理を実行することを特徴とする車載システム。
【請求項５】
請求項４に記載の車載システムであって、
前記表示装置および前記第１の情報処理装置、前記入力装置および前記第１の情報処理装置、または前記第１の情報処理装置および前記第２の情報処理装置の、少なくともいずれかの組み合わせは、１つの装置として構成されることを特徴とする車載システム。
【発明の詳細な説明】
【技術分野】
【０００１】
本発明は、車両に搭載される車載システムに関する。
【背景技術】
【０００２】
近年、車両にはさまざまな機器が搭載され、その機能も年々高度化している。例えば下記の特許文献１には、経路探索や経路誘導だけでなく、誘導経路における通行料金の計算、誘導経路の距離、旅行時間、誘導経路を走行した場合の燃費等の計算を実行するナビゲーション装置が開示されている。また、車両には、ナビゲーション装置以外にも、音楽再生機器やディジタルテレビ等、さまざまな機器が搭載される場合が多い。
【先行技術文献】
【特許文献】
【０００３】
【特許文献１】特開２００８−２９２４１７号公報
【発明の概要】
【発明が解決しようとする課題】
【０００４】
運転者等のユーザは、通常、車両に搭載されている機器の表示を見ることにより、その機器からの情報を取得する。しかし、車両に搭載されているそれぞれの機器は、実現する機能毎に車両内の異なる場所に設置され、表示装置も機器の近くにおかれる場合がある。そのため、車両に搭載される機器が多くなると、ユーザが視線を向けるべき場所が多くなる。また、車両に搭載される機器が多くなると、ユーザは、希望する機能に対応する表示装置を瞬時に判断することが難しくなり、ユーザの利便性が低くなる場合がある。
【０００５】
本発明は上記事情を鑑みてなされたものであり、本発明の目的は、車両内に設けられた複数の機能からの情報を見やすく表示することにある。
【課題を解決するための手段】
【０００６】
上記課題を解決するために本発明は、複数の機能のそれぞれが実行する処理によって出力される画像を、１台の表示装置に表示する。
【０００７】
例えば、本発明は、車両に搭載される車載システムであって、表示装置と、複数の情報処理装置とを備え、複数の情報処理装置の中の１台である第１の情報処理装置は、表示装置を制御して表示装置に画像を表示させる表示制御部を有し、複数の情報処理装置の中で第１の情報処理装置以外の複数の情報処理装置のそれぞれである第２の情報処処理装置は、所定の機能を実行し、実行結果を示す画像を出力する機能部を少なくとも１つ有し、表示制御部は、それぞれの機能部から出力された画像を表示装置に表示させることを特徴とする車載システムを提供する。
【発明の効果】
【０００８】
本発明の車載システムによれば、車両内に設けられた複数の機能からの情報を見やすく表示することができる。
【図面の簡単な説明】
【０００９】
【図１】本発明の一実施形態に係る車載システム１０の一例を示すシステム構成図である。
【図２】入力装置３０の構成の一例を示す図である。
【図３】制御装置４０の機能構成の一例を示すブロック図である。
【図４】第１の実施形態において分割情報格納部４０１に格納されるデータの構造の一例を示す図である。
【図５】領域情報格納部４０２に格納されるデータの構造の一例を示す図である。
【図６】テンプレート格納部４０４に格納されるデータの構造の一例を示す図である。
【図７】第１の実施形態において画像構成情報格納部４０３に格納されるデータの構造の一例を示す図である。
【図８】選択情報格納部４０７に格納されるデータの構造の一例を示す図である。
【図９】スイッチ構成情報格納部４０９に格納されるデータの構造の一例を示す図である。
【図１０】第１の実施形態においてスイッチ構成ＩＤ格納部４０８に格納されるデータの構造の一例を示す図である。
【図１１】第１の実施形態における機能追加・削除処理の一例を示すフローチャートである。
【図１２】第１の実施形態における機能追加・削除処理の画面遷移の一例を示す概念図である。
【図１３】３つの機能を画面分割により表示する例を示す概念図である。
【図１４】２つの機能を画面分割により表示する例を示す概念図である。
【図１５】通常動作における車載システム１０の動作の一例を示すフローチャートである。
【図１６】第２の実施形態において分割情報格納部４０１に格納されるデータの構造の一例を示す図である。
【図１７】第２の実施形態において画像構成情報格納部４０３に格納されるデータの構造の一例を示す図である。
【図１８】第２の実施形態においてスイッチ構成ＩＤ格納部４０８に格納されるデータの構造の一例を示す図である。
【図１９】第２の実施形態における機能追加・削除処理の一例を示すフローチャートである。
【図２０】第２の実施形態における機能追加・削除処理の画面遷移の一例を示す概念図である。
【発明を実施するための形態】
【００１０】
まず、本発明の第１の実施形態について説明する。
【００１１】
図１は、本発明の一実施形態に係る車載システム１０の一例を示すシステム構成図である。車載システム１０は、車両内に設けられ、表示装置２０、入力装置３０、制御装置４０、および１台以上の車載装置５０を備える。表示装置２０、入力装置３０、およびそれぞれの車載装置５０は、ケーブルを介して制御装置４０に接続される。なお、表示装置２０、入力装置３０、およびそれぞれの車載装置５０は、無線通信により制御装置４０と通信してもよい。
【００１２】
それぞれの車載装置５０は、例えば、カーナビゲーション、音楽再生、テレビ、カーエアコン制御、またはスピードメータ表示等の機能を実現する。それぞれの車載装置５０は、１つの機能を実現してもよく、複数の機能を実現するように構成されていてもよい。
【００１３】
制御装置４０は、入力装置３０から操作信号を受信した場合に、当該操作信号の対象となる機能を有する車載装置５０へ操作信号を送信する。また、制御装置４０は、車載装置５０が有する機能によって実行された処理の結果を示す画像を受信した場合に、受信した画像を、車両内に設けられた１台の表示装置２０に表示する。
【００１４】
入力装置３０は、例えば図２に示すように、第１のスイッチ群３１および第２のスイッチ群３２を有する。第１のスイッチ群３１内のそれぞれのスイッチは、車載装置５０で実現されている機能（例えば、カーナビゲーション、音楽再生、テレビ、カーエアコン制御、またはスピードメータ表示等）の１つに割り当てられている。
【００１５】
第１のスイッチ群３１のそれぞれのスイッチは、ユーザによって押下された場合に、押下されたスイッチに対応するスイッチＩＤを選択信号として制御装置４０へ送信する。なお、第１のスイッチ群３１において「＊」のスイッチは、第１のスイッチ群３１内の他のスイッチに機能を割り当てるための処理の起動を制御装置４０に指示するためのスイッチである。
【００１６】
第２のスイッチ群３２のそれぞれのスイッチは、車載装置５０で実現されている機能に対して操作信号を入力するために使用される。第２のスイッチ群３２のそれぞれのスイッチは、ユーザによって押下された場合に、押下されたスイッチに対応するスイッチＩＤを操作信号として制御装置４０へ送信する。
【００１７】
第２のスイッチ群３２から操作信号を受信した場合、制御装置４０は、受信した操作信号を、第１のスイッチ群３１で指定された機能に対応する操作信号に変換して、第１のスイッチ群３１で指定された機能を実現する車載装置５０へ送信する。つまり、第２のスイッチ群３２は、第１のスイッチ群３１のスイッチで指定された機能に対応するキー割当となる。
【００１８】
図３は、制御装置４０の機能構成の一例を示すブロック図である。制御装置４０は、機能数格納部４００、分割情報格納部４０１、領域情報格納部４０２、画像構成情報格納部４０３、テンプレート格納部４０４、表示制御部４０５、入力受付部４０６、選択情報格納部４０７、スイッチ構成ＩＤ格納部４０８、およびスイッチ構成情報格納部４０９を有する。
【００１９】
機能数格納部４００には、車載システム１０内に導入されている機能の数、即ち、車載装置５０のいずれかにインストールされ、車載システム１０として実現可能な機能の数を示す数値が格納される。いずれかの車載装置５０に機能がインストールされると、機能数格納部４００内の機能数が１つ増加し、いずれかの車載装置５０から機能がアンインストールされると、機能数格納部４００内の機能数が１つ減少する。
【００２０】
分割情報格納部４０１には、例えば図４に示すように、車載システム１０内に導入されている機能の機能数４０１０に対応付けて、表示装置２０の表示画面の分割方法４０１１、および、それぞれの分割領域毎の領域ＩＤ４０１２が予め格納されている。本実施形態では、車載システム１０によって実現される機能の数が決まると、表示画面の分割方法が一意に定まる。
【００２１】
領域情報格納部４０２には、例えば図５に示すように、車載システム１０内に導入されているそれぞれの機能を識別する機能ＩＤ４０２０に対応付けて、当該機能による処理結果の画像を表示する分割領域の領域ＩＤ４０２１が格納される。なお、機能ＩＤは、異なるメーカによって提供される機能であっても、ナビゲーション機能等、同一の機能であれば、同一の機能ＩＤが割り当てられる。
【００２２】
テンプレート格納部４０４には、例えば図６に示すように、車載システム１０内に導入されている機能による処理結果の画像を表示する際に適用するテンプレートであるテンプレート本体４０４１が、それぞれのテンプレートを識別するテンプレートＩＤ４０４０に対応付けて予め格納されている。テンプレートとは、車載システム１０内に導入されている機能による処理結果の画像を表示する際の画面表示に関する情報であり、例えば、解像度、色、表示されるオブジェクトの配置、オブジェクトの形状、および表示される文字のフォント等の情報である。
【００２３】
画像構成情報格納部４０３には、例えば図７に示すように、車載システム１０内に導入されているそれぞれの機能を識別する機能ＩＤ４０３０に対応付けて、当該機能による処理結果の画像を表示する際に適用するテンプレートのテンプレートＩＤ４０３１が格納される。本実施形態では、機能ＩＤ毎に、適用されるテンプレートが予め定められている。
【００２４】
選択情報格納部４０７には、例えば図８に示すように、第１のスイッチ群３１（図２参照）内のそれぞれのスイッチを識別するスイッチＩＤ４０７０に対応付けて、当該スイッチに割り当てられている機能の機能ＩＤ４０７１が予め格納されている。
【００２５】
スイッチ構成情報格納部４０９には、例えば図９に示すように、第２のスイッチ群３２（図２参照）のスイッチ構成を示すスイッチ構成情報４０９１が、それぞれのスイッチ構成を識別するスイッチ構成ＩＤ４０９０に対応付けて予め格納されている。スイッチ構成情報とは、第２のスイッチ群３２内のどのスイッチからの信号を、どの操作信号に置き換えるかを示す情報である。
【００２６】
スイッチ構成ＩＤ格納部４０８には、例えば図１０に示すように、車載システム１０内に導入されているそれぞれの機能を識別する機能ＩＤ４０８０に対応付けて、当該機能が選択された場合の第２のスイッチ群３２のスイッチ構成のスイッチ構成ＩＤ４０８１が予め格納されている。本実施形態では、機能ＩＤ毎に、適用されるスイッチ構成が予め定められている。
【００２７】
次に、図１１を参照して、制御装置４０による機能追加・削除処理について説明する。例えば、ユーザが、いずれかの車載装置５０に新たな機能をインストールした後、または、いずれかの車載装置５０から機能をアンインストールした後に、第１のスイッチ群３１の「＊」のスイッチを押下し、制御装置４０が「＊」のスイッチに対応する選択信号を入力装置３０から受信した場合に、制御装置４０は、本フローチャートに示す機能追加・削除処理を開始する。
【００２８】
まず、入力受付部４０６は、「＊」のスイッチに対応する選択信号を入力装置３０から受信した旨を表示制御部４０５に通知する。表示制御部４０５は、例えば図１２の管理メニュー画面６０を作成して表示装置２０に表示させる（Ｓ１００）。次に、入力受付部４０６は、第２のスイッチ群３２から受信した操作信号を表示制御部４０５へ送る。表示制御部４０５は、入力受付部４０６から受信した操作信号が機能追加を示す信号であるか否かを判定する（Ｓ１０１）。
【００２９】
表示制御部４０５は、管理メニュー画面６０を表示装置２０に表示させた後に入力受付部４０６から受信した操作信号が、例えば「１」を示すスイッチが操作されたことによる操作信号である場合に、入力受付部４０６から受信した操作信号が機能追加を示す信号であると判定し、例えば「２」を示すスイッチが操作されたことによる操作信号である場合に、入力受付部４０６から受信した操作信号が機能削除を示す信号であると判定する。
【００３０】
入力受付部４０６から受信した操作信号が機能追加を示す信号である場合（Ｓ１０１：Ｙｅｓ）、表示制御部４０５は、例えば図１２の入力画面６１を作成して表示装置２０に表示させる（Ｓ１０２）。ユーザが第２のスイッチ群３２を操作して入力ボックス６１０に機能ＩＤを入力した場合、入力受付部４０６は、入力された機能ＩＤに対応する機能を有する車載装置５０にアクセスし、当該機能の入力デバイスとして入力装置３０を当該機能に登録する（Ｓ１０３）。この処理は、例えば、使用する周辺機器をホストに登録する公知の技術であるエニュメレーション処理と同様であるため、その詳細な説明は省略する。
【００３１】
入力された機能ＩＤに対応する機能の入力デバイスとして入力装置３０を登録した後、入力受付部４０６は、入力された機能ＩＤを表示制御部４０５に通知する。表示制御部４０５は、通知された機能ＩＤに対応する機能を有する車載装置５０にアクセスし、当該機能の出力デバイスとして表示装置２０を当該機能に登録する（Ｓ１０３）。この処理は、例えば、使用する周辺機器をホストに登録する公知の技術であるエニュメレーション処理と同様であるため、その詳細な説明は省略する。
【００３２】
次に、表示制御部４０５は、機能数格納部４００に登録されている機能数を１増やし（Ｓ１０４）、図１２の領域割当画面６２を作成して表示装置２０に表示させる（Ｓ１０５）。領域割当画面６２の領域６２０には、表示装置２０の表示画面の分割方法が表示され、領域６２１には、領域情報格納部４０２に登録されている機能ＩＤであって車載システム１０に導入されている機能の機能ＩＤと、入力画面６１の入力ボックス６１０に入力された機能ＩＤとが表示される。
【００３３】
ユーザが第２のスイッチ群３２を操作して領域割当画面６２の領域６２２に機能ＩＤを入力した場合、入力受付部４０６は、入力された機能ＩＤを分割領域を示す領域ＩＤと共に表示制御部４０５に送る。表示制御部４０５は、受け取った機能ＩＤを、受け取った領域ＩＤに対応付けて領域情報格納部４０２に格納し（Ｓ１０６）、制御装置４０は、本フローチャートに示した機能追加・削除処理を終了する。
【００３４】
機能が追加されて表示装置２０が３つの機能による処理結果を表示する場合の画面表示は、例えば図１３のようになる。図１３の画面７０において、領域７１にはナビゲーション機能による画像が表示され、領域７２にはスピードメータ表示機能による画像が表示され、領域７２にはカーエアコン制御機能による画像が表示されている。
【００３５】
ステップＳ１０１において、入力受付部４０６から受信した操作信号が機能削除を示す信号である場合（Ｓ１０１：Ｎｏ）、表示制御部４０５は、例えば図１２の入力画面６３を作成して表示装置２０に表示させる（Ｓ１０７）。入力画面６３の領域６３０には、領域情報格納部４０２に登録されている機能ＩＤであって車載システム１０に導入されている機能の機能ＩＤが表示される。
【００３６】
次に、ユーザが第２のスイッチ群３２を操作して入力画面６３の入力ボックス６３１に機能ＩＤを入力した場合、入力受付部４０６は、入力された機能ＩＤを表示制御部４０５に送る。表示制御部４０５は、受け取った機能ＩＤを領域情報格納部４０２から削除すると共に、機能数格納部４００に登録されている機能数を１減らし（Ｓ１０８）、図１２の領域割当画面６４を作成して表示装置２０に表示させる（Ｓ１０５）。領域割当画面６４の領域６４０には、表示装置２０の表示画面の分割方法が表示され、領域６４１には、領域情報格納部４０２に登録されている機能ＩＤであって車載システム１０に導入されている機能の機能ＩＤが表示される。
【００３７】
ユーザが第２のスイッチ群３２を操作して領域割当画面６４の領域６４２に機能ＩＤを入力した場合、入力受付部４０６は、入力された機能ＩＤを分割領域を示す領域ＩＤと共に表示制御部４０５に送る。表示制御部４０５は、受け取った機能ＩＤを、受け取った領域ＩＤに対応付けて領域情報格納部４０２に格納し（Ｓ１０６）、制御装置４０は、本フローチャートに示した機能追加・削除処理を終了する。
【００３８】
機能が削除されて表示装置２０が２つの機能による処理結果を表示する場合の画面表示は、例えば図１４のようになる。図１４の画面７５において、領域７６にはスピードメータ表示機能による画像が表示され、領域７７にはカーエアコン制御機能による画像が表示されている。
【００３９】
次に、図１５を参照して、制御装置４０による通常使用時の動作について説明する。制御装置４０は、機能追加・削除処理後に起動することにより、本フローチャートに示す動作を開始する。
【００４０】
まず、表示制御部４０５は、いずれかの車載装置５０から機能ＩＤと共に処理結果を示す画像を受信したか否かを判定する（Ｓ２００）。画像を受信した場合（Ｓ２００：Ｙｅｓ）、表示制御部４０５は、車載システム１０に導入されている機能の数を機能数格納部４００から取得し（Ｓ２０１）、取得した機能数に対応する分割方法およびそれぞれの分割領域の領域ＩＤを分割情報格納部４０１から取得する（Ｓ２０２）。
【００４１】
次に、表示制御部４０５は、車載装置５０から画像と共に受信した機能ＩＤに対応付けられている領域ＩＤを領域情報格納部４０２から取得する（Ｓ２０３）。そして、表示制御部４０５は、車載装置５０から画像と共に受信した機能ＩＤに対応付けられているテンプレートＩＤを画像構成情報格納部４０３から取得し、取得したテンプレートＩＤに対応するテンプレート本体をテンプレート格納部４０４から取得する（Ｓ２０４）。
【００４２】
次に、表示制御部４０５は、ステップＳ２０４で取得したテンプレートに従って車載装置５０から受信した画像を変換する。そして、表示制御部４０５は、表示装置２０に指示して、変換した画像を、ステップＳ２０３で取得した領域ＩＤに対応する分割領域に表示させ（Ｓ２０５）、再びステップＳ２００に示した処理を実行する。
【００４３】
ステップＳ２００において、画像を受信していない場合（Ｓ２００：Ｙｅｓ）、入力受付部４０６は、入力装置３０から選択信号を受信したか否かを判定する（Ｓ２０６）。選択信号を受信した場合（Ｓ２０６：Ｙｅｓ）、入力受付部４０６は、選択情報格納部４０７を参照して、受信した選択信号に対応付けられている機能ＩＤを特定する（Ｓ２０７）。
【００４４】
次に、表示制御部４０５は、特定した機能ＩＤに対応付けられているスイッチ構成ＩＤをスイッチ構成ＩＤ格納部４０８から取得する。そして、表示制御部４０５は、取得したスイッチ構成ＩＤに対応するスイッチ構成情報をスイッチ構成情報格納部４０９から取得して保持し（Ｓ２０８）、再びステップＳ２００に示した処理を実行する。
【００４５】
ステップＳ２０６において、選択信号を受信していない場合（Ｓ２０６：Ｎｏ）、入力受付部４０６は、入力装置３０から操作信号を受信したか否かを判定する（Ｓ２０９）。操作信号を受信していない場合（Ｓ２０９：Ｎｏ）、表示制御部４０５は、再びステップＳ２００に示した処理を実行する。
【００４６】
操作信号を受信した場合（Ｓ２０９：Ｙｅｓ）、入力受付部４０６は、ステップＳ２０８において保持したスイッチ構成情報を参照して、受信した操作信号を、操作対象の機能に対応した操作信号に変換する。そして、入力受付部４０６は、変換した操作信号を、操作対象の機能を有する車載装置５０へ送信し（Ｓ２１０）、表示制御部４０５は、再びステップＳ２００に示した処理を実行する。
【００４７】
以上、本発明の第１の実施形態について説明した。
【００４８】
上記説明から明らかなように、本実施形態の車載システム１０によれば、車両内に設けられた複数の機能からの情報を見やすく表示することができる。
【００４９】
また、図１５のステップ２０５に示したように、制御装置４０は、機能数に応じて予め定められた分割領域に、所定の機能の処理結果を表示する。ナビゲーション機能等、機能が同一であれば、異なるメーカの機能であっても、同一の機能ＩＤが割り当てられるため、制御装置４０は、ある機能が異なるメーカの機能に置き換えられた場合であっても、同一の機能であれば、同一の分割領域に引き続き表示することができる。これにより、ユーザにとっては見慣れた画面内の位置で引き続き処理結果を閲覧することができ、車載システム１０は、ユーザの利便性を高く保つことができる。
【００５０】
また、図１５のステップ２０５に示したように、制御装置４０は、同一の機能ＩＤに対応する機能による処理結果の画像に、同一のテンプレートを適用する。そのため、ある機能が異なるメーカの機能に置き換えられた場合であっても、制御装置４０は、同一の機能であれば、同一の画面構成で表示することができる。これにより、ユーザにとっては見慣れた画面構成で引き続き処理結果を閲覧することができ、車載システム１０は、ユーザの利便性を高く保つことができる。
【００５１】
また、機能毎に入力装置が存在するとすれば、ユーザは、使いたい機能毎に、入力装置を探し出す必要がある。これに対し本実施形態の車載システム１０内には入力装置３０は１つであり、車載システム１０は、入力装置３０の第１のスイッチ群３１で指定された機能について、第２のスイッチ群３２のキー割当を変更することができる。これにより、車載システム１０は、複数の機能について、１つの入力装置３０を共通に用いることができ、ユーザは、１つの入力装置３０の位置が分かっていれば、入力装置３０を探し出す必要がなく、ユーザの利便性を高く保つことができる。
【００５２】
次に、本発明の第２の実施形態について説明する。
【００５３】
本実施形態における車載システム１０のシステム構成、入力装置３０の構成、および制御装置４０のブロック構成は、それぞれ、図１、図２、および図３と同様である。
【００５４】
本実施形態における分割情報格納部４０１には、例えば図１６に示すように、機能数４０１０に対応付けて、分割方法４０１１、領域ＩＤ４０１２、およびどの分割方法が選択されたかを示す選択フラグ４０１３が格納される。本実施形態では、機能数に応じて、１つ以上の分割方法が予め定められている。ユーザによって選択された分割方法４０１１に対応する選択フラグ４０１３には「１」が設定され、それ以外には「０」が設定される。
【００５５】
本実施形態における画像構成情報格納部４０３には、例えば図１７に示すように、機能ＩＤ４０３０に対応付けて、テンプレートＩＤ４０３１、および、どのテンプレートＩＤが選択されたかを示す選択フラグ４０３２が格納される。本実施形態では、機能ＩＤ毎に、適用可能な１つ以上のテンプレートが予め定められている。ユーザによって選択されたテンプレートＩＤ４０３１に対応する選択フラグ４０３２には「１」が設定され、それ以外には「０」が設定される。
【００５６】
本実施形態におけるスイッチ構成ＩＤ格納部４０８には、例えば図１８に示すように、機能ＩＤ４０８０に対応付けて、スイッチ構成ＩＤ４０８１、および、どのスイッチ構成ＩＤが選択されたかを示す選択フラグ４０８２が格納される。本実施形態では、機能ＩＤ毎に、適用可能な１つ以上のスイッチ構成が予め定められている。ユーザによって選択されたスイッチ構成ＩＤ４０８１に対応する選択フラグ４０８２には「１」が設定され、それ以外には「０」が設定される。
【００５７】
次に、図１９を参照して、第２の実施形態における制御装置４０の機能追加・削除処理について説明する。例えば、ユーザが、いずれかの車載装置５０に新たな機能をインストールした後、または、いずれかの車載装置５０から機能をアンインストールした後に、第１のスイッチ群３１の「＊」のスイッチを押下し、制御装置４０が「＊」のスイッチに対応する選択信号を入力装置３０から受信した場合に、制御装置４０は、本フローチャートに示す機能追加・削除処理を開始する。なお、以下に説明する点を除き、図１９において、図１１と同じ符号を付した処理は、図１１における処理と同一または同様の処理であるため説明を省略する。
【００５８】
まず、入力受付部４０６は、「＊」のスイッチに対応する選択信号を入力装置３０から受信した旨を表示制御部４０５に通知する。表示制御部４０５は、例えば図２０の管理メニュー画面６０を作成して表示装置２０に表示させる（Ｓ１００）。次に、入力受付部４０６は、第２のスイッチ群３２から受信した操作信号を表示制御部４０５へ送る。表示制御部４０５は、入力受付部４０６から受信した操作信号が機能追加を示す信号であるか否かを判定する（Ｓ１０１）。
【００５９】
入力受付部４０６から受信した操作信号が機能追加を示す信号である場合（Ｓ１０１：Ｙｅｓ）、表示制御部４０５は、例えば図２０の入力画面６１を作成して表示装置２０に表示させる（Ｓ１０２）。入力画面６１には、新たに追加された機能の機能ＩＤを入力するための入力ボックス６１１、新たに追加された機能による処理結果の画像に適用するテンプレートのテンプレートＩＤを入力するための入力ボックス６１２、および、新たに追加された機能に適用する第２のスイッチ群３２のスイッチ構成のスイッチ構成ＩＤを入力するための入力ボックス６１２が表示される。
【００６０】
ユーザが第２のスイッチ群３２を操作して入力ボックス６１１、入力ボックス６１２、および入力ボックス６１３にデータを入力した場合、入力受付部４０６は、スイッチ構成ＩＤ格納部４０８（図１８参照）を参照し、入力ボックス６１１に入力された機能ＩＤに対応付けられているスイッチ構成ＩＤの中で、入力ボックス６１３に入力されたスイッチ構成ＩＤに対応付けられている選択フラグに「１」を設定する（Ｓ１１０）。
【００６１】
入力デバイスとして入力装置３０を登録した後、入力受付部４０６は、入力ボックス６１１に入力された機能ＩＤおよび入力ボックス６１２に入力されたテンプレートＩＤを表示制御部４０５に通知する。表示制御部４０５は、画像構成情報格納部４０３（図１７参照）を参照し、入力受付部４０６から通知された機能ＩＤに対応付けられているテンプレートＩＤの中で、入力受付部４０６から通知されたテンプレートＩＤに対応付けられている選択フラグに「１」を設定する（Ｓ１１０）。
【００６２】
次に、入力受付部４０６は、入力ボックス６１１に入力された機能ＩＤに対応する機能を有する車載装置５０にアクセスし、当該機能の入力デバイスとして入力装置３０を当該機能に登録し、表示制御部４０５は、入力受付部４０６から通知された機能ＩＤに対応する機能を有する車載装置５０にアクセスし、当該機能の出力デバイスとして表示装置２０を当該機能に登録する（Ｓ１０３）。
【００６３】
次に、表示制御部４０５は、機能数格納部４００に登録されている機能数を１増やし（Ｓ１０４）、分割情報格納部４０１内の選択フラグを全て「０」にリセットする。そして、表示制御部４０５は、図２０の分割方法選択画面６５を作成して表示装置２０に表示させる（Ｓ１１１）。分割方法選択画面６５の領域６５０には、複数の分割方法が表示される。ユーザが第２のスイッチ群３２を操作して分割方法に対応付けられているいずれかの数値を入力した場合、入力受付部４０６は、入力された数値を表示制御部４０５に送る。
【００６４】
次に、表示制御部４０５は、入力受付部４０６から受信した数値に対応する分割方法について、分割情報格納部４０１内の選択フラグに「１」を設定する。そして、表示制御部４０５は、図２０の領域割当画面６２を作成して表示装置２０に表示させる（Ｓ１０５）。
【００６５】
ユーザが第２のスイッチ群３２を操作して領域割当画面６２の領域６２２に機能ＩＤを入力した場合、入力受付部４０６は、入力された機能ＩＤを分割領域を示す領域ＩＤと共に表示制御部４０５に送る。表示制御部４０５は、受け取った機能ＩＤを、受け取った領域ＩＤに対応付けて領域情報格納部４０２に格納し（Ｓ１０６）、制御装置４０は、本フローチャートに示した機能追加・削除処理を終了する。
【００６６】
ステップＳ１０１において、入力受付部４０６から受信した操作信号が機能削除を示す信号である場合（Ｓ１０１：Ｎｏ）、表示制御部４０５は、例えば図２０の入力画面６３を作成して表示装置２０に表示させる（Ｓ１０７）。ユーザが第２のスイッチ群３２を操作して入力画面６３の入力ボックス６３１に機能ＩＤを入力した場合、入力受付部４０６は、入力された機能ＩＤを表示制御部４０５に送る。
【００６７】
次に、表示制御部４０５は、入力受付部４０６から受け取った機能ＩＤを領域情報格納部４０２から削除すると共に、機能数格納部４００に登録されている機能数を１減らす（Ｓ１０８）。そして、表示制御部４０５は、分割情報格納部４０１内の選択フラグを全て「０」にリセットすると共に、入力受付部４０６から受け取った機能ＩＤに対応付けられて画像構成情報格納部４０３およびスイッチ構成ＩＤ格納部４０８に格納されている選択フラグを「０」にリセットする。
【００６８】
次に、表示制御部４０５は、図２０の分割方法選択画面６６を作成して表示装置２０に表示させる（Ｓ１１１）。分割方法選択画面６６の領域６６０には、複数の分割方法が表示される。ユーザが第２のスイッチ群３２を操作して分割方法に対応付けられているいずれかの数値を入力した場合、入力受付部４０６は、入力された数値を表示制御部４０５に送る。
【００６９】
次に、表示制御部４０５は、入力受付部４０６から受信した数値に対応する分割方法について、分割情報格納部４０１内の選択フラグに「１」を設定する。そして、表示制御部４０５は、図２０の領域割当画面６４を作成して表示装置２０に表示させる（Ｓ１０５）。
【００７０】
ユーザが第２のスイッチ群３２を操作して領域割当画面６４の領域６４２に機能ＩＤを入力した場合、入力受付部４０６は、入力された機能ＩＤを分割領域を示す領域ＩＤと共に表示制御部４０５に送る。表示制御部４０５は、受け取った機能ＩＤを、受け取った領域ＩＤに対応付けて領域情報格納部４０２に格納し（Ｓ１０６）、制御装置４０は、本フローチャートに示した機能追加・削除処理を終了する。
【００７１】
次に、図１５を参照して、第２の実施形態における制御装置４０の通常使用時の動作について説明する。制御装置４０は、機能追加・削除処理後に起動することにより、本フローチャートに示す動作を開始する。なお、以下に説明する点以外は、図１５の説明と同一であるため説明を省略する。
【００７２】
まず、表示制御部４０５は、いずれかの車載装置５０から機能ＩＤと共に処理結果を示す画像を受信したか否かを判定する（Ｓ２００）。画像を受信した場合（Ｓ２００：Ｙｅｓ）、表示制御部４０５は、車載システム１０に導入されている機能の数を機能数格納部４００から取得する（Ｓ２０１）。そして、表示制御部４０５は、取得した機能数に対応する分割方法の中で、選択フラグに「１」が設定されている分割方法、および、対応するそれぞれの分割領域の領域ＩＤを分割情報格納部４０１から取得する（Ｓ２０２）。
【００７３】
次に、表示制御部４０５は、車載装置５０から画像と共に受信した機能ＩＤに対応付けられている領域ＩＤを領域情報格納部４０２から取得する（Ｓ２０３）。そして、表示制御部４０５は、車載装置５０から画像と共に受信した機能ＩＤに対応付けられているテンプレートＩＤの中で、対応する選択フラグに「１」が設定されているテンプレートＩＤを画像構成情報格納部４０３から取得する。そして、表示制御部４０５は、取得したテンプレートＩＤに対応するテンプレート本体をテンプレート格納部４０４から取得する（Ｓ２０４）。
【００７４】
次に、表示制御部４０５は、ステップＳ２０４で取得したテンプレートに従って車載装置５０から受信した画像を変換する。そして、表示制御部４０５は、変換した画像を、ステップＳ２０３で取得した領域ＩＤに対応する分割領域に表示させ（Ｓ２０５）、再びステップＳ２００に示した処理を実行する。
【００７５】
ステップＳ２００において、画像を受信していない場合（Ｓ２００：Ｙｅｓ）、入力受付部４０６は、入力装置３０から選択信号を受信したか否かを判定する（Ｓ２０６）。選択信号を受信した場合（Ｓ２０６：Ｙｅｓ）、入力受付部４０６は、選択情報格納部４０７を参照して、受信した選択信号に対応付けられている機能ＩＤを特定する（Ｓ２０７）。
【００７６】
次に、表示制御部４０５は、特定した機能ＩＤに対応付けられているスイッチ構成ＩＤの中で、選択フラグに「１」が設定されているスイッチ構成ＩＤをスイッチ構成ＩＤ格納部４０８から取得する。そして、表示制御部４０５は、取得したスイッチ構成ＩＤに対応するスイッチ構成情報をスイッチ構成情報格納部４０９から取得して保持し（Ｓ２０８）、再びステップＳ２００に示した処理を実行する。
【００７７】
ステップＳ２０６において、選択信号を受信していない場合（Ｓ２０６：Ｎｏ）、入力受付部４０６は、入力装置３０から操作信号を受信したか否かを判定する（Ｓ２０９）。操作信号を受信していない場合（Ｓ２０９：Ｎｏ）、表示制御部４０５は、再びステップＳ２００に示した処理を実行する。
【００７８】
操作信号を受信した場合（Ｓ２０９：Ｙｅｓ）、入力受付部４０６は、ステップＳ２０８において保持したスイッチ構成情報を参照して、受信した操作信号を、操作対象の機能に対応した操作信号に変換する。そして、入力受付部４０６は、変換した操作信号を、操作対象の機能を有する車載装置５０へ送信し（Ｓ２１０）、表示制御部４０５は、再びステップＳ２００に示した処理を実行する。
【００７９】
以上、本発明の第２の実施形態について説明した。
【００８０】
上記説明から明らかなように、本実施形態の車載システム１０においても、車両内に設けられた複数の機能からの情報を、ユーザの希望に応じて見やすく表示することができる。
【００８１】
なお、本発明は、上記した実施形態に限定されるものではなく、その要旨の範囲内で数々の変形が可能である。
【００８２】
例えば、上記した各実施形態では、表示装置２０、入力装置３０、制御装置４０、および１台以上の車載装置５０を、それぞれの別個の装置として説明したが、本発明はこれに限られない。例えば、表示装置２０および制御装置４０、入力装置３０および制御装置４０、または、制御装置４０および１つの車載装置５０の、少なくともいずれかの組み合わせは、１つの装置として構成されてもよい。
【００８３】
上記した第２の実施形態において、制御装置４０に無線通信機能を設け、制御装置４０は、分割情報格納部４０１、画像構成情報格納部４０３、およびスイッチ構成ＩＤ格納部４０８において選択フラグに「１」が設定されている情報を、外部の管理サーバへ送信して外部の管理サーバに保存させるようにしてもよい。この場合、制御装置４０は、ユーザからの要求に応じて、分割情報格納部４０１、画像構成情報格納部４０３、およびスイッチ構成ＩＤ格納部４０８において選択フラグに「１」が設定されている情報を、外部の管理サーバから取得する。これにより、制御装置４０を交換した場合であっても、ユーザは、交換する前の車載システム１０の環境を再現することができる。
【００８４】
上記した各実施形態において、制御装置４０は、車載システム１０内の機能を画面分割により表示装置２０の表示画面に表示したが、本発明はこれに限られない。例えば、入力装置３０の第１のスイッチ群３１で選択された機能のみを表示装置２０の表示画面の全面に表示するようにしてもよく、常に表示していた方が好ましい特定の機能（例えば、スピードメータ表示機能やナビゲーション機能等）を画面分割により表示装置２０の表示画面に常に表示し、ユーザからの要求があった場合に表示してもよい機能（例えば、カーエアコン制御機能や音楽再生機能等）については、ユーザから要求があった機能のみを残りの分割領域に表示するようにしてもよい。
【００８５】
また、上記した各実施形態において、第１のスイッチ群３１のキー割当、テンプレートの構成、およびスイッチ構成情報は予め定められていたが、本発明はこれに限られず、ユーザの操作によりカスタマイズ可能となるようにしてもよい。
【００８６】
また、上記した第１の実施形態において、いずれかの車載装置５０は、新たに機能がインストールされた場合に、当該機能の機能ＩＤを機能が追加された旨と共に表示制御部４０５に通知し、インストールされている機能がアンインストールされた場合に、当該機能の機能ＩＤを機能が削除された旨と共に表示制御部４０５に通知するようにしてもよい。機能が追加された旨と共に機能ＩＤを受信した場合、表示制御部４０５は、図１１のＳ１０４の処理から図１１の処理を実行し、機能が削除された旨と共に機能ＩＤを受信した場合、表示制御部４０５は、図１１のＳ１０９の処理から図１１の処理を実行する。
【符号の説明】
【００８７】
１０・・・車載システム、２０・・・表示装置、３０・・・入力装置、３１・・・第１のスイッチ群、３２・・・第２のスイッチ群、４０・・・制御装置、４００・・・機能数格納部、４０１・・・分割情報格納部、４０２・・・領域情報格納部、４０３・・・画像構成情報格納部、４０４・・・テンプレート格納部、４０５・・・表示制御部、４０６・・・入力受付部、４０７・・・選択情報格納部、４０８・・・スイッチ構成ＩＤ格納部、４０９・・・スイッチ構成情報格納部、５０・・・車載装置、６０・・・管理メニュー画面、６１・・・入力画面、６２・・・領域割当画面、６３・・・入力画面、６４・・・領域割当画面、６５・・・分割方法選択画面、６６・・・分割方法選択画面
【図１】
2010201969.tif 000003
【図２】
2010201969.tif 000004
【図３】
2010201969.tif 000005
【図４】
2010201969.tif 000006
【図５】
2010201969.tif 000007
【図６】
2010201969.tif 000008
【図７】
2010201969.tif 000009
【図８】
2010201969.tif 000010
【図９】
2010201969.tif 000011
【図１０】
2010201969.tif 000012
【図１１】
2010201969.tif 000013
【図１２】
2010201969.tif 000014
【図１３】
2010201969.tif 000015
【図１４】
2010201969.tif 000016
【図１５】
2010201969.tif 000017
【図１６】
2010201969.tif 000018
【図１７】
2010201969.tif 000019
【図１８】
2010201969.tif 000020
【図１９】
2010201969.tif 000021
【図２０】
2010201969.tif 000022